(57)【要約】【課題】電気錠が設置された扉の通行が許可されている識別情報を管理する入退出管理装置の負荷を軽減する。【解決手段】実施形態の電気錠制御装置は、電気錠が設置された扉の通行が許可されている識別情報を管理する入退出管理装置と通信する通信手段と、記憶媒体に記録された識別情報を取得する取得手段と、取得された識別情報が扉の通行が許可されている識別情報であるか否かを入退出管理装置に照合する照合手段と、照合手段が照合した照合結果を識別情報ごとに記憶する記憶手段と、照合結果をもとに、電気錠の施錠／解錠を制御する電気錠制御手段と、を備え、電気錠制御手段は、取得された識別情報の照合結果が記憶手段に記憶されている場合は、記憶されている照合結果をもとに電気錠の施錠／解錠を制御する。【選択図】図４
2013091964.tif 000002
【特許請求の範囲】
【請求項１】
電気錠が設置された扉の通行が許可されている識別情報を管理する入退出管理装置と通信する通信手段と、
記憶媒体に記録された識別情報を取得する取得手段と、
前記取得された識別情報が前記扉の通行が許可されている識別情報であるか否かを前記入退出管理装置に照合する照合手段と、
前記照合手段が照合した照合結果を前記識別情報ごとに記憶する記憶手段と、
前記照合結果をもとに、前記電気錠の施錠／解錠を制御する電気錠制御手段と、を備え、
前記電気錠制御手段は、前記取得された識別情報の照合結果が前記記憶手段に記憶されている場合は、当該記憶されている照合結果をもとに前記電気錠の施錠／解錠を制御する電気錠制御装置。
【請求項２】
前記識別情報が取得された場合に、当該識別情報の照合結果が前記記憶手段に記憶されているか否かを判定して、前記取得された識別情報の照合結果が前記記憶手段に記憶されている場合は、当該記憶されている照合結果をもとに前記電気錠の施錠／解錠を制御し、前記取得された識別情報の照合結果が前記記憶手段に記憶されていない場合は、前記入退出管理装置への照合結果をもとに前記電気錠の施錠／解錠を制御する第１の動作モードと、前記識別情報が取得された場合に、当該識別情報の前記入退出管理装置への照合結果をもとに前記電気錠の施錠／解錠を制御する第２の動作モードとを設定するモード設定手段を更に備える、
請求項１に記載の電気錠制御装置。
【請求項３】
前記モード設定手段は、前記通信手段による前記入退出管理装置との通信が切断されている場合に、前記第１の動作モードを設定する、
請求項１又は２に記載の電気錠制御装置。
【発明の詳細な説明】
【技術分野】
【０００１】
本発明の実施形態は、電気錠制御装置に関する。
【背景技術】
【０００２】
従来、マンションや工場等の建物では、内部のセキュリティを確保するため、各扉から建物の中へ入る人物が所持する磁気カードのＩＤ（識別情報）をカードリーダなどで読み取って扉の通行が許可されたＩＤであるか否かを照合し、各扉に設けられた電気錠の解錠／施錠を行う入退出管理システムが導入されている。この入退出管理システムでは、扉の通行を許可するＩＤを入退出管理装置で集中管理しており、電気錠の解錠／施錠を制御する電気錠施錠装置がカードリーダで読み取ったＩＤを入退出管理装置へ通知して照合することで、通行が許可されたＩＤである場合の解錠が行われている。
【先行技術文献】
【特許文献】
【０００３】
【特許文献１】特開２０１０−７７７２３号公報
【発明の概要】
【発明が解決しようとする課題】
【０００４】
しかしながら、上述した従来技術では、各扉においてカードリーダによりＩＤが読み取られる度に、電気錠制御装置から入退出管理装置へ読み取ったＩＤの問い合わせが行われることとなり、電気錠制御装置で電気錠が制御される扉の数が多くなると入退出管理装置の負荷が大きくなっていた。このため、例えば建物への人物の出入りが多い時間帯などでは、各扉の電気錠制御装置からのＩＤの問い合わせが重複することもあり、ＩＤの照合処理に時間がかかる場合があった。
【課題を解決するための手段】
【０００５】
上述した課題を解決するために、実施形態の電気錠制御装置は、電気錠が設置された扉の通行が許可されている識別情報を管理する入退出管理装置と通信する通信手段と、記憶媒体に記録された識別情報を取得する取得手段と、前記取得された識別情報が前記扉の通行が許可されている識別情報であるか否かを前記入退出管理装置に照合する照合手段と、前記照合手段が照合した照合結果を前記識別情報ごとに記憶する記憶手段と、前記照合結果をもとに、前記電気錠の施錠／解錠を制御する電気錠制御手段と、を備え、前記電気錠制御手段は、前記取得された識別情報の照合結果が前記記憶手段に記憶されている場合は、当該記憶されている照合結果をもとに前記電気錠の施錠／解錠を制御する。
【図面の簡単な説明】
【０００６】
【図１】図１は、入退出管理システムの一例を示す概念図である。
【図２】図２は、電気錠制御装置と入退出管理装置との構成を例示する概念図である。
【図３】図３は、電気錠制御装置のハードウエア構成を示すブロック図である。
【図４】図４は、キャッシュモードの場合の動作を例示する概念図である。
【図５】図５は、ダイレクトモードの場合の動作を例示する概念図である。
【発明を実施するための形態】
【０００７】
以下、添付図面を参照して実施形態の電気錠制御装置を詳細に説明する。
【０００８】
図１は、入退出管理システム１００の一例を示す概念図である。図１に示すように、入退出管理システム１００は、電気錠により解錠／施錠が行われる扉２ごとに設置された電気錠制御装置１と、電気錠が設置された扉２の通行が許可されている識別情報（ＩＤ）を管理する入退出管理装置３と、入退出管理装置３の上位装置である入退出管理サーバ４と、監視画面による入退出の監視や設定画面による各種設定を行う監視端末５とを備える。入退出管理システム１００において、電気錠制御装置１と、入退出管理装置３と、入退出管理サーバ４と、監視端末５とは、ＬＡＮ（Local  Area  Network）、ＷＡＮ（Wide  Area  Network）、インターネット、ＶＰＮ（Virtual  Private  Network）等の通信ネットワーク６を介して通信可能に接続される。
【０００９】
図２は、電気錠制御装置１と入退出管理装置３との構成を例示する概念図である。図２に示すように、入退出管理装置３は、扉２ごとに設置された複数の電気錠制御装置１と、通信ネットワーク６の通信ケーブル６ａを介して接続されている。入退出管理装置３は、通信ケーブル６ａを介して接続される電気錠制御装置１で電気錠の施錠／解錠が行われる扉２の通行が許可されているＩＤを管理する。具体的には、入退出管理装置３が管理するＩＤは、扉２の通行が許可されている人物が所持する磁気カード等の記憶媒体に記録されたＩＤであり、扉２の通行が許可されている人物の人数分のＩＤが入退出管理サーバ４などを介して予め登録されている。
【００１０】
ここで、入退出管理装置３は、制御部３０、通信部３１、電源部３３を備える。制御部３０は、ＣＰＵ（Central  Processing  Unit）、ＲＯＭ（Read  Only  Memory）、ＲＡＭ（Random  Access  Memory）等を備え、入退出管理装置３の動作を制御する。制御部３０のＲＯＭは、ＣＰＵが実行するプログラムや扉２の通行が許可されているＩＤ等の設定情報を記憶する。制御部３０は、ＣＰＵがＲＯＭに記憶されたプログラムをＲＡＭに展開して順次実行することで、入退出管理装置３の動作を制御する。例えば、制御部３０は、通信部３１を介して電気錠制御装置１よりＩＤの照合要求があった場合は、ＲＯＭに記憶されているＩＤを読み出し照合する。その照合の結果、マッチするＩＤがあった場合には、扉２の通行が許可されたＩＤであることを示す照合結果ＯＫを通信部３１を介して電気錠制御装置１へ返信する。逆に、照合の結果マッチするＩＤがなかった場合には、扉２の通行が許可されたＩＤではないことを示す照合結果ＮＧを通信部３１を介して電気錠制御装置１へ返信する。
【００１１】
通信部３１は、制御部３０の制御のもと、通信ケーブル６ａを介して接続する電気錠制御装置１との間のデータ通信を行う通信インタフェースである。電源部３３は、電源装置３２より電源ケーブル６ｂを介して供給される電源を入退出管理装置３の各部へ供給する電源回路である。
【００１２】
図３は、電気錠制御装置１のハードウエア構成を示すブロック図である。図３に示すように、電気錠制御装置１は、マイクロプロセッサ１０、記憶部１１、電気錠ドライブ回路１２、カードリーダ１３、音声出力部１４、ＲＯＭ１５、電源部１６、通信部１７を備える。マイクロプロセッサ１０は、ＲＯＭ１５に記憶されたプログラムを順次実行することで、電気錠制御装置１の各部を制御する。具体的には、マイクロプロセッサ１０は、ＲＯＭ１５に記憶されたプログラムを順次実行することでモード設定部１０１、照合部１０２、電気錠制御部１０３としての機能を提供する（詳細は後述する）。
【００１３】
記憶部１１は、マイクロプロセッサ１０の制御のもとで読み書き可能な不揮発性メモリである。記憶部１１は、マイクロプロセッサ１０の制御の下でカードリーダ１３より読み取ったＩＤを入退出管理装置３へ照合した際の照合結果を、ＩＤごとに記憶するキャッシュとしての機能を提供する。具体的には、記憶部１１は、カードリーダ１３より読み取ったＩＤごとに、入退出管理装置３へ照合した際の照合結果（照合結果ＯＫ／照合結果ＮＧ）をＦＩＦＯ（First In, First Out）で格納する。電気錠ドライブ回路１２は、マイクロプロセッサ１０の制御のもと、扉２に設けられた電気錠２０を駆動（解錠／施錠）させる回路である。なお、電気錠ドライブ回路１２は、マイクロプロセッサ１０より解錠の指示がない状態では、電気錠２０を施錠させるものとする。なお、不揮発性メモリとは、ハードディスクドライブ（ＨＤＤ）など記憶装置、記憶手段をいう。この他、不揮発性の記憶手段に限られることなく半導体メモリ（フラッシュメモリ、ＦｅＲＡＭ、ＲｅＲＡＭ、ＭＲＡＭ、ＰＲＡＭ、ＳＳＤ）等の各種記憶媒体を利用してもよいし、これらの半導体メモリと、ＨＤＤとを組み合わせた方式を採用した記憶媒体であってもよい。本実施形態では、ＲＯＭ１５と記憶部１１とは別の記憶媒体のごとく記載しているが、ＩＤなどの各種データおよびプログラムを格納する同一の記憶部、記憶手段を用いてもよい。
【００１４】
カードリーダ１３は、扉２の通行が許可された人物に配布される磁気カード等の記憶媒体に記録されたＩＤ（識別情報）を読み取る。なお、カードリーダ１３が読み取る記憶媒体は磁気カード以外のものであってよい。例えば、カードリーダ１３は、ＲＦＩＤ（Radio  Frequency  IDentification）によるＩＣタグの読み取や、カードに印刷されたバーコードやＱＲコード（登録商標）の読み取りなどを行うデバイスであってもよい。
【００１５】
音声出力部１４は、マイクロプロセッサ１０の制御のもと、警告音等の音声報知を行うスピーカや音声出力回路である。電源部１６は、電源ケーブル６ｂを介して供給される電源を電気錠制御装置１の各部へ供給する電源回路である。通信部１７は、マイクロプロセッサ１０の制御のもと、通信ケーブル６ａを介して接続する入退出管理装置３との間のデータ通信を行う通信インタフェースである。なお、音声を出力する機能に加えて、映像を表示させる液晶ディスプレイ、有機ＥＬディスプレイ、プラズマディスプレイなどのモニターをさらに備えていても良い。
【００１６】
モード設定部１０１は、通信部１７を介して通信接続する監視端末５による設定、通信部１７の通信状態、操作キー（図示しない）による設定操作などをもとに、電気錠制御装置１の動作モードを設定する。なお、モード設定部１０１における動作モードの設定は、カードリーダ１３による磁気カードの読み取りなどで行われてもよい。例えば、モード設定部１０１は、所定の動作モードを設定するコマンドが記録された磁気カードがカードリーダ１３により読み取られた場合、その読み取られたコマンドに応じた動作モードを設定してよい。
【００１７】
ここで、モード設定部１０１が設定する動作モードには、第１の動作モードとしてのキャッシュモードと、第２の動作モードとしてのダイレクトモードがある。キャッシュモードは、カードリーダ１３により磁気カードからＩＤが読み取られた場合に、記憶部１１のキャッシュ機能として既に記憶されている、入退出管理装置３への照合結果を用いる動作モードである。具体的には、キャッシュモードでは、カードリーダ１３により磁気カードからＩＤが読み取られた場合に、そのＩＤにおける入退出管理装置３への照合結果が記憶部１１に記憶されているか否かを判定し、読み取られたＩＤの照合結果が記憶部１１に記憶されている場合はその記憶されている照合結果をもとに電気錠２０の施錠／解錠を制御し、読み取られたＩＤの照合結果が記憶部１１に記憶されていない場合は通信部１７を介した入退出管理装置３への照合結果をもとに電気錠２０の施錠／解錠を制御する。
【００１８】
ダイレクトモードは、カードリーダ１３により磁気カードからＩＤが読み取られた場合に、記憶部１１のキャッシュ機能として既に記憶されている、入退出管理装置３への照合結果を用いることなく、通信部１７を介して入退出管理装置３への照合を行う動作モードである。具体的には、ダイレクトモードでは、カードリーダ１３により磁気カードからＩＤが読み取られた場合に、通信部１７を介した入退出管理装置３への照合結果をもとに電気錠２０の施錠／解錠を制御する。
【００１９】
モード設定部１０１は、通信部１７を介して通信接続する監視端末５による設定、通信部１７の通信状態、操作キーによる設定操作などをもとに、キャッシュモード又はダイレクトモードの何れかの動作モードを設定する。なお、通信部１７の通信状態による動作モードの設定は、通信部１７を介した入退出管理装置３との通信が接続されているか、又は切断されているかをもとに行う。例えば、通信部１７を介した入退出管理装置３との通信セッションが切断している場合や、ポーリングにより入退出管理装置３との通信接続ができなかった場合には、モード設定部１０１はキャッシュモードを設定する。このように、入退出管理装置３との通信が切断されている場合にはキャッシュモードを設定することで、カードリーダ１３により磁気カードからＩＤが読み取られた際に入退出管理装置３への照合ができない場合であっても、入退出管理装置３への照合結果が記憶部１１に記憶されている場合にはその記憶されている照合結果をもとに電気錠２０の施錠／解錠を行うことができる。
【００２０】
照合部１０２は、カードリーダ１３により磁気カードから読み取られたＩＤが扉２の通行が許可されているＩＤであるか否かの照合を行う。具体的には、モード設定部１０１により設定された動作モードがダイレクトモードである場合は、磁気カードから読み取られたＩＤを通信部１７を介して入退出管理装置３へ通知することで、ＩＤの照合結果を入退出管理装置３より取得する。また、モード設定部１０１により設定された動作モードがキャッシュモードである場合には、磁気カードから読み取られたＩＤをもとに記憶部１１を参照し、読み取られたＩＤの照合結果が記憶部１１に記憶されている場合には、その記憶されている照合結果を読み出して、読み取られたＩＤの照合結果とする。磁気カードから読み取られたＩＤの照合結果が記憶部１１に記憶されていない場合には、磁気カードから読み取られたＩＤを通信部１７を介して入退出管理装置３へ通知することで、ＩＤの照合結果を入退出管理装置３より取得する。
【００２１】
電気錠制御部１０３は、照合部１０２の照合結果をもとに、電気錠ドライブ回路１２を介した電気錠２０の施錠／解錠を制御する。具体的には、電気錠制御部１０３は、照合部１０２の照合結果が照合結果ＯＫである場合には、磁気カードから読み取られたＩＤが扉２の通行が許可されたＩＤであることから、電気錠２０を解錠させる。逆に、照合部１０２の照合結果が照合結果ＮＧである場合には、磁気カードから読み取られたＩＤが扉２の通行が許可されたＩＤでないことから、電気錠２０を解錠することなく、施錠した状態を継続させる。この時、電気錠制御部１０３は、照合結果ＮＧであり解錠できないことを示すエラー音を音声出力部１４を介して出力する。これにより、利用者は、読み取られた磁気カードのＩＤでは解錠できないことを認識できる。
【００２２】
図４は、キャッシュモードの場合の動作を例示する概念図である。図４に示すように、キャッシュモードにおいて、最初にカードリーダ１３により磁気カードからＩＤが読み取られた場合、記憶部１１には読み取られたＩＤの照合結果が記憶されていないことから、照合部１０２は、入退出管理装置３への照合を行う（Ｓ１）。次いで、照合部１０２は、照合結果ＯＫ／ＮＧを入退出管理装置３より取得し、読み取ったＩＤとそのＩＤの入退条件（照合結果ＯＫ／ＮＧ）を記憶部１１に記憶する（Ｓ２）。次いで、電気錠制御部１０３は、照合部１０２の照合結果が照合結果ＯＫである場合には電気錠２０を解錠させ、照合部１０２の照合結果が照合結果ＮＧである場合にはエラー音を音声出力部１４を介して出力させる（Ｓ３）。
【００２３】
次にＳ１の時と同じＩＤがカードリーダ１３より読み取られた場合（Ｓ１１）、記憶部１１には読み取られたＩＤの照合結果が記憶されていることから、照合部１０２は、記憶部１１に記憶されているＩＤとの照合を行う（Ｓ１２）。この時、照合部１０２は、カードリーダ１３より読み取られたＩＤを通信部１７を介して入退出管理装置３は通知する（Ｓ１３）。このＩＤの通知において、入退出管理装置３では、ＩＤの照合を行うことなく、ＩＤの通知があったことを不揮発性メモリなどに記録する。したがって、入退出管理装置３では、不揮発性メモリなどの記録をもとに、電気錠制御装置１のカードリーダ１３で読み取りが行われたＩＤの情報管理を行うことができる。なお、上述した情報管理を行わない場合には、カードリーダ１３より読み取られたＩＤの入退出管理装置３への通知を行わない構成であってもよい。
【００２４】
次いで、照合部１０２は、カードリーダ１３より読み取られたＩＤの照合結果ＯＫ／ＮＧを記憶部１１より読み出す（Ｓ１４）。次いで、電気錠制御部１０３は、読み出された照合結果が照合結果ＯＫである場合には電気錠２０を解錠させ、読み出された照合結果が照合結果ＮＧである場合にはエラー音を音声出力部１４を介して出力させる（Ｓ１５）。
【００２５】
以上のように、キャッシュモードでは、カードリーダ１３より読み出されたＩＤの照合結果が記憶部１１に記憶されている場合は、ＩＤを管理する入退出管理装置３への照合を行うことなく、記憶部１１に記憶されている照合結果をもとに電気錠２０の解錠が行われることから、入退出管理装置３の負荷を軽減することができる。
【００２６】
図５は、ダイレクトモードの場合の動作を例示する概念図である。図５に示すように、ダイレクトモードでは、記憶部１１に記憶されているＩＤの照合結果を用いることがないことから、照合部１０２は、カードリーダ１３により読み出されたＩＤを入退出管理装置３へ照合する（Ｓ２１）。次いで、照合部１０２は、照合結果ＯＫ／ＮＧを入退出管理装置３より取得する（Ｓ２２）。次いで、電気錠制御部１０３は、照合部１０２が入退出管理装置３より取得した照合結果が照合結果ＯＫである場合には電気錠２０を解錠させ、照合部１０２が入退出管理装置３より取得した照合結果が照合結果ＮＧである場合にはエラー音を音声出力部１４を介して出力させる（Ｓ２３）。
【００２７】
以上のように、ダイレクトモードでは、記憶部１１に記憶されているＩＤの照合結果を用いることなく、常にカードリーダ１３により読み出されたＩＤを入退出管理装置３へ照合し、その照合結果をもとに電気錠２０の解錠が行われる。したがって、ダイレクトモードを設定することで、電気錠２０が設置された扉２の通行が許可されているＩＤとして入退出管理装置３で管理されるＩＤに即した電気錠２０の解錠／施錠を行うことができる。また、ダイレクトモード又はキャッシュモードの設定は、セキュリティを確保する際の運用に合わせたものであってよい。例えば、通行が許可されるＩＤが日々更新される扉２や、よりセキュアな運用行う扉２の電気錠制御装置１にはダイレクトモードを設定し、通行が許可されるＩＤの磁気カードを所持した人物が多く通行する扉２の電気錠制御装置１にはキャッシュモードを設定してよい。
【００２８】
なお、本実施形態の電気錠制御装置１で実行されるプログラムは、ＲＯＭ等に予め組み込まれて提供される。本実施形態の電気錠制御装置１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００２９】
さらに、本実施形態の電気錠制御装置１で実行されるプログラムを、インターネット等のネットワークに接続されたコンピュータ上に格納し、ネットワーク経由でダウンロードさせることにより提供するように構成しても良い。また、本実施形態の電気錠制御装置１で実行されるプログラムをインターネット等のネットワーク経由で提供または配布するように構成しても良い。
【００３０】
本実施形態の電気錠制御装置１で実行されるプログラムは、上述した各部（モード設定部１０１、照合部１０２、電気錠制御部１０３）を含むモジュール構成となっており、実際のハードウェアとしてはＣＰＵ（プロセッサ）が上記ＲＯＭからプログラムを読み出して実行することにより上記各部が主記憶装置上にロードされ、生成されるようになっている。
【００３１】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００３２】
１００…入退出管理システム、１…電気錠制御装置、２…扉、３…入退出管理装置、４…入退出管理サーバ、５…監視端末、６…通信ネットワーク、６ａ…通信ケーブル、６ｂ…電源ケーブル、１０…マイクロプロセッサ、１１…記憶部、１２…電気錠ドライブ回路、１３…カードリーダ、１４…音声出力部、１５…ＲＯＭ、１６…電源部、１７…通信部、２０…電気錠、３０…制御部、３１…通信部、３２…電源装置、３３…電源部、１０１…モード設定部、１０２…照合部、１０３…電気錠制御部
【図１】
2013091964.tif 000003
【図２】
2013091964.tif 000004
【図３】
2013091964.tif 000005
【図４】
2013091964.tif 000006
【図５】
2013091964.tif 000007